(57)【特許請求の範囲】
【請求項１】
被記録媒体が載置される媒体トレイと、
下方から上方へシートが湾曲されて第１向きへ搬送される湾曲部、及び当該湾曲部の当該第１向き下流端から第２向きへ直線状に延びており、上記シート及び上記媒体トレイを案内可能な直線部を有する第１経路と、
上記湾曲部と上記直線部との接続位置から上記第２向きと反対向きへ延びており、上記媒体トレイが通過可能な第２経路と、
上記第２経路の上記反対向きに形成された開口と、
上記接続位置の上側に配置されており、上記直線部及び上記第２経路の上側ガイド面を形成する第１ガイド部材と、
上記湾曲部の湾曲外側の外側ガイド面と上記第２経路の下側ガイド面とを形成する第１姿勢、及び上記湾曲部を露出させる第２姿勢に姿勢変化可能に設けられた第２ガイド部材と、を備えており、
上記第１ガイド部材は、
上記上側ガイド面から下向きへ突出されており、突出の先端と上記下側ガイド面との間に上記開口から上記第２経路へ挿入されるシートが通過可能な間隙を形成し、且つ上記上側ガイド面において上記第２向きと直交する第３方向へ上記媒体トレイの幅よりも広い距離で離間された一対のガイド片を有し、
上記ガイド片は、上記湾曲部を搬送されるシートを上記接続位置において上記上側ガイド面へ案内する第１ガイド面を有するものであり、
上記第２向きにおける上記ガイド片の突出先端の位置は、上記外側ガイド面の上記第１向き下流側端より上流側に位置する搬送装置。
【請求項２】
被記録媒体が載置される媒体トレイと、
下方から上方へシートが湾曲されて第１向きへ搬送される湾曲部、及び当該湾曲部の当該第１向き下流端から第２向きへ直線状に延びており、上記シート及び上記媒体トレイを案内可能な直線部を有する第１経路と、
上記湾曲部と上記直線部との接続位置から上記第２向きと反対向きへ延びており、上記媒体トレイが通過可能な第２経路と、
上記第２経路の上記反対向きに形成された開口と、
上記接続位置の上側に固定されており、上記直線部及び上記第２経路の上側ガイド面を形成する第１ガイド部材と、
上記湾曲部の湾曲外側の外側ガイド面と上記第２経路の下側ガイド面とを形成する第１姿勢、及び上記湾曲部を露出させる第２姿勢に姿勢変化可能に設けられた第２ガイド部材と、を備えており、
上記第１ガイド部材は、
上記上側ガイド面から下向きへ突出されており、突出の先端と上記下側ガイド面との間に上記開口から上記第２経路へ挿入されるシートが通過可能な間隙を形成し、且つ上記上側ガイド面において上記第２向きと直交する第３方向へ上記媒体トレイの幅よりも広い距離で離間された一対のガイド片を有し、
上記ガイド片は、上記湾曲部を搬送されるシートを上記接続位置において上記上側ガイド面へ案内する第１ガイド面を有するものである搬送装置。
【請求項３】
上記第２向きにおける上記突出の先端の位置は、上記外側ガイド面の上記第１向き下流側端より上流側に位置する請求項２に記載の搬送装置。
【請求項４】
上記一対のガイド片は、上記第３方向において対向する一対の第２ガイド面の一方をそれぞれ有するものである請求項１から３のいずれかに記載の搬送装置。
【請求項５】
上記一対のガイド片は、上記開口から上記第２経路に挿入されるシートを上記間隙へ案内する第３ガイド面を有するものである請求項１から４のいずれかに記載の搬送装置。
【請求項６】
上記突出の先端は、上記第１ガイド面と上記第３ガイド面とを繋ぐ曲面である請求項５に記載の搬送装置。
【請求項７】
上記第２ガイド部材は、下端側を回動軸として回動されるものである請求項１から６のいずれかに記載の搬送装置。
【請求項８】
上記第２ガイド部材は、着脱自在に設けられたものである請求項１から６のいずれかに記載の搬送装置。
【請求項９】
上記第２ガイド部材は、上記第１姿勢において、上記第１ガイド部材と当接することによって位置決めされているものである請求項１から８のいずれかに記載の搬送装置。
【請求項１０】
請求項１から９のいずれかに記載の搬送装置と、
上記第１経路を搬送されるシート、及び上記媒体トレイに載置された被記録媒体にインク滴を吐出する記録ヘッドと、を備えたインクジェット記録装置。
【発明の詳細な説明】
【技術分野】
【０００１】
本発明は、シート及び媒体トレイを搬送する搬送装置、及びこの搬送装置を備えたインクジェット記録装置に関する。
【背景技術】
【０００２】
搬送装置により搬送されるシートにインク滴を吐出することで画像を記録するインクジェット記録装置がある。搬送装置には、シートが湾曲されて搬送向へ搬送される湾曲部と、この湾曲部の搬送向き下流端から直線状に伸びる直線路と、で構成された搬送路を備えるものがある。この種の搬送装置には、直線路において、ＣＤやＤＶＤなどの記録メディアが載置される媒体トレイを搬送可能としたものがある（例えば、特許文献１参照）。
【０００３】
特許文献１に記載された搬送装置では、湾曲部との接続部を越えて直線路が延ばされている。この接続部には、接続部でシートが詰まらないように可動フラップが設けられている。可動フラップは、媒体トレイを通過させる姿勢及びシートを通過させる姿勢に姿勢変化される。
【先行技術文献】
【特許文献】
【０００４】
【特許文献１】特開２００５−１４４９３１号公報
【発明の概要】
【発明が解決しようとする課題】
【０００５】
可動フラップが設けられると搬送装置の構成が複雑になる。また、直線路における延長された部分から手差しでシートを給送可能とすることが考えられるが、手差し給送と、給紙カセットなどからの給送と、媒体トレイの搬送とのそれぞれにおいて可動フラップの姿勢を変えなければならない。可動フラップを自動で姿勢変化させると構成が更に複雑になる。
【０００６】
本発明は、前述された事情に鑑みてなされたものであり、その目的とするところは、搬送路の接続部においてシート及び媒体トレイを正常に通過させることができる、構成の簡単な機構を提供することにある。
【課題を解決するための手段】
【０００７】
(1)  本発明の搬送装置は、被記録媒体が載置される媒体トレイと、下方から上方へシートが湾曲されて第１向きへ搬送される湾曲部、及び当該湾曲部の当該第１向き下流端から第２向きへ直線状に延びており、上記シート及び上記媒体トレイを案内可能な直線部を有する第１経路と、上記湾曲部と上記直線部との接続位置から上記第２向きと反対向きへ延びており、上記媒体トレイが通過可能な第２経路と、上記第２経路の上記反対向きに形成されており、上記第２経路を案内される上記媒体トレイを当該装置外に突出させる開口と、上記接続位置の上側に配置されており、上記直線部及び上記第２経路の上側ガイド面を形成する第１ガイド部材と、上記湾曲部の湾曲外側の外側ガイド面と上記第２経路の下側ガイド面とを形成する第１姿勢、及び上記湾曲部を露出させる第２姿勢に姿勢変化可能に設けられた第２ガイド部材と、を備える。上記第１ガイド部材は、上記上側ガイド面から下向きへ突出されており、突出の先端と上記下側ガイド面との間に上記開口から上記第２経路へ挿入されるシートが通過可能な間隙を形成し、且つ上記上側ガイド面において上記第２向きと直交する第３方向へ上記媒体トレイの幅よりも広い距離で離間された一対のガイド片を有する。上記ガイド片は、上記湾曲部を搬送されるシートを上記接続位置において上記上側ガイド面へ案内する第１ガイド面を有する。
【０００８】
直線部を第２向きと反対向きへ搬送された媒体トレイは、一対のガイド片の間を通過する。第２経路に開口から挿入されるシートは、間隙を通過して第１経路の直線部へ進入する。湾曲部を第１向きへ搬送されたシートは、接続位置において、第１ガイド面に案内されて上側ガイド面へ到達する。一対のガイド片は、接続位置において、湾曲部を搬送されるシート、開口から第２経路に挿入されるシート、及び媒体トレイを通過させることができる。シートや媒体トレイが詰まった場合は、第２ガイド部材がユーザにより姿勢変化されて湾曲部が露出される。一対のガイド片は、姿勢変化可能な第２ガイド部材ではなく、固定された第１ガイド部材に設けられているから、配置位置を正確に決めることができる。その結果、一対のガイド片により、接続位置においてシート及び媒体トレイを正常に通過させることができる。
【０００９】
(2)  上記第２向きにおける上記突出の先端の位置は、上記外側ガイド面の上記第１向き下流側端より上流側に位置するものであってもよい。ガイド片の突出の先端に搬送向きにおけるシートの先端が当接せず、シートを直線部へスムーズに案内することができる。
【００１０】
(3)  上記一対のガイド片は、上記第３方向において対向する一対の第２ガイド面の一方をそれぞれ有するものであってもよい。一対のガイド片の間を通過する媒体トレイは、第２ガイド面に当接することにより斜行が防止される。
【００１１】
(4)  上記一対のガイド片は、上記開口から上記第２経路に挿入されるシートを上記間隙へ案内する第３ガイド面を有するものであってもよい。シートを間隙へ向かってスムーズに挿入することができる。
【００１２】
(5)  上記突出の先端は、上記第１ガイド面と上記第３ガイド面とを繋ぐ曲面であってもよい。開口から挿入されたシートを直線部へスムーズに案内することができる。
【００１３】
(6)  上記第２ガイド部材は、下端側を回動軸として回動されるものであってもよい。
【００１４】
(7)  上記第２ガイド部材は、着脱自在に設けられたものであってもよい。
【００１５】
(8)  上記第２ガイド部材は、上記第１姿勢において、上記第１部材と当接することによって位置決めされているものであってもよい。第１姿勢にある第２ガイド部材は、固定された第１ガイド部材により位置決めされるから、第１ガイド部材の第１ガイド面に対して第２ガイド部材の外側ガイド面を正確に位置決めすることができ、第２ガイド部材が可動であることによる搬送精度の低下を抑えることができる。
【００１６】
(9)  本発明は、上記搬送装置と、上記第１経路を搬送されるシート、及び上記媒体トレイに載置された被記録媒体にインク滴を吐出する記録ヘッドと、を備えたインクジェット記録装置として把握されてもよい。
【発明の効果】
【００１７】
本発明では、一対のガイド片という簡単な構成により、第１経路と第２経路との接続部においてシート及び媒体トレイを正常に通過させることができる。
【図面の簡単な説明】
【００１８】
【図１】インクジェット記録装置の正面側の斜視図である。
【図２】プリンタ部の模式的な断面図である。
【図３】図２の一部の拡大図である。
【図４】第１ガイド部材及び媒体トレイの下面図である。
【図５】媒体トレイ及び記録メディアの斜視図である。
【図６】インクジェット記録装置の背面側の斜視図である。
【図７】シートの搬送を説明するための説明図である。
【図８】媒体トレイの搬送を説明するための説明図である
【図９】（Ａ）は手差し給送を説明するための説明図であり、（Ｂ）は媒体トレイの搬送を説明するための説明図である。
【発明を実施するための形態】
【００１９】
以下、本発明の実施形態について説明がされる。なお、以下に説明される実施形態は本発明の一例にすぎず、本発明の要旨を変更しない範囲で実施形態を適宜変更できることは言うまでもない。以下の説明では、ベクトルにおいて矢印を考慮して起点から終点に向かう進みが向きと表現され、ベクトルにおいて矢印を考慮せずに起点と終点とを結ぶ線上の往来が方向と表現される。また、以下の説明では、インクジェット記録装置１０が使用可能に設置された状態（図１の状態）を基準として上下方向７が定義され、表示部１３が設けられている側を手前側（正面）として前後方向８が定義され、インクジェット記録装置１０を手前側（正面側）から見て左右方向９が定義される。
【００２０】
［インクジェット記録装置１０］
図１に示されるように、インクジェット記録装置１０は、下部のプリンタ部１１と上部のスキャナ部１２とを備えた概ね直方体の外形を呈する。インクジェット記録装置１０は、プリント、スキャン、コピー機能を有する複合機である。なお、スキャナ部１２は任意の構成である。
【００２１】
プリンタ部１１の制御は、不図示の制御部により行われる。制御部は、例えば基板に実装されたマイコンなどにより実現される。制御部は、不図示の入力部やパソコンなどの外部機器から入力された情報によりプリンタ部１１の動作を制御してシート１４（図２）や、後述の媒体トレイ８０に載置された記録メディア８４（図５）に画像を記録する。記録メディア８４は、ＣＤ−ＲＯＭやＤＶＤ−ＲＯＭなどである。シート１４は本発明のシートに相当する。記録メディア８４は本発明の被記録媒体に相当する。
【００２２】
図１に示されるように、給紙カセット１５は、プリンタ部１１の正面側に設けられた前側開口１９から前方へ引き出し可能にプリンタ部１１の下部に収容されている。給紙カセット１５は、上部が開口する扁平な直方体の外形を呈している。給紙カセット１５の上部に排紙受け１８が設けられている。
【００２３】
図２に示されるように、シート１４は給紙カセット１５の底部１６に載置される。給紙カセット１５の後壁１７は、底部１６の後端から後方斜め上へ向かって延びている。後述の給送部２０により送り出されるシート１４は、後壁１７に案内されて後方斜め上へ向かう。
【００２４】
図２に示されるように、プリンタ部１１は、給送部２０、搬送装置３０、記録部４０及び不図示の駆動部を備える。駆動部は、制御部により駆動制御される複数個の駆動モータと、この駆動モータの駆動力を給送部２０や搬送装置３０や記録部４０のキャリッジ４１等に伝達する駆動伝達機構と、を備える。
【００２５】
［給送部２０］
給送部２０は、不図示のフレームに回転可能に支持された回転軸２１、回転軸２１から後方斜め下へ向かって伸びるアーム２２、及びアーム２２に設けられた左右一対の給送ローラ２３を備える。回転軸２１は、左右方向９に沿って延びる丸棒状であり、不図示の第１駆動モータにより回転される。アーム２２は、回転軸２１に回動可能に一端が支持されており、他端において給送ローラ２３を回転可能に支持している。アーム２２は、給紙カセット１５が前後方向８へスライドされる際に給紙カセット１５に設けられた不図示の傾斜面に摺接することにより回動され、給送ローラ２３を給紙カセット１５に収容されたシート１４に押し付ける。給送ローラ２３は、複数個の伝達ギア２４により回転軸２１の回転が伝達されることにより回転され、給紙カセット１５に収容されたシート１４を後方へ送り出す。後方へ送り出されたシート１４は搬送装置３０により搬送される。
【００２６】
［搬送装置３０］
図２に示されるように、搬送装置３０は、搬送経路３１、搬送ローラ対５０及び排紙ローラ対５４を備える。搬送経路３１は、第１経路３２及び第２経路３３を備える。第１経路３２は本発明の第１経路に相当する。第２経路３３は本発明の第２経路に相当する。第１経路３２は、シート１４が湾曲されて第１向き３６へ搬送される湾曲部３４と、第１向き３６における湾曲部３４の下流端から前方へ向かって直線状に延びる直線部３５とを備える。第１向き３６は本発明の第１向きに相当する。湾曲部３４は本発明の湾曲部に相当する。直線部３５は本発明の直線部に相当する。直線部３５が延びる前向き４５は本発明の第２向きに相当する。第２経路３３は、湾曲部３４と直線部３５との接続位置３７から後方へ向かって直線状に延びている。接続位置３７は本発明の接続位置に相当する。第２経路３３が延びる後向き４６は本発明の反対向きに相当する。
【００２７】
湾曲部３４は、湾曲外側に配置された第２ガイド部材７０と、湾曲内側に配置された内側ガイド部材１００とにより区画された空間である。直線部３５は、給紙カセット１５の上方に配置されたプラテン３８、プラテン３８の前方及び後方に配置された上側ガイド部材１０１、１０２や、第１ガイド部材６０などにより区画された空間である。第２経路３３は、第１ガイド部材６０と第２ガイド部材７０とにより区画された空間である。第１ガイド部材６０及び第２ガイド部材７０については後で詳しく説明がされる。
【００２８】
搬送ローラ対５０は、前後方向８における接続位置３７とプラテン３８との間に配置されている。搬送ローラ対５０は、直線部３５の上側に配置された第１駆動ローラ５１と、直線部３５の下側に配置された第１従動ローラ５２とを備える。第１駆動ローラ５１は不図示の第２駆動モータにより回転駆動される。
【００２９】
排紙ローラ対５４はプラテン３８の前方に配置されている。排紙ローラ対５４は、直線部３５の下側に配置された第２駆動ローラ５５と、直線部３５の上側に配置された第２従動ローラ５６とを備える。第２駆動ローラ５５は不図示の第２駆動モータにより第１駆動ローラ５１と共に回転駆動される。
【００３０】
プラテン３８及び第２駆動ローラ５５は、図２に実線で示された上側のシート搬送位置と、図２に破線で示された下側のトレイ搬送位置との間で上下方向７へ移動可能に設けられている。第１従動ローラ５２はプラテン３８に支持されており、プラテン３８と共に上下方向７へ移動可能である。プラテン３８及び第２駆動ローラ５５は、トレイガイド９０の移動に連動して移動される。
【００３１】
［トレイガイド９０］  
図１に示されるように、トレイガイド９０は、プリンタ部１１の前側開口１９の上部に配置されており、プリンタ部１１の正面側からユーザにより引き出される。トレイガイド９０は、ユーザにより引き出されることにより、図２の実線で示された上側且つ後側の退避位置から、図２の破線で示された下側且つ前側のトレイ案内位置へ移動される。図２の実線で示された退避位置は、シート１４に画像が記録されるときの位置であり、排紙ローラ対５４からのシート１４の排出を阻害しない。図２の破線で示されたトレイ案内位置は、媒体トレイ８０を案内する位置であり、前側開口１９（図１）から挿入される媒体トレイ８０（図５）を排紙ローラ対５４のニップ位置へ案内する。
【００３２】
退避位置からトレイ案内位置へ引き出されたトレイガイド９０は、プラテン３８及び第２駆動ローラ５５を下方へ向かって移動させる。例えば、プラテン３８及び第２駆動ローラ５５の軸を支持するリンクプレートがプラテン３８の左右両側に設けられ、トレイガイド９０には、退避位置とトレイ案内位置との間の移動においてリンクプレートに係合する係合部が設けられ、リンクプレートを連動させて前後方向８に移動させる。リンクプレートには、例えば、プラテン３８を支持する第１傾斜面、及び第２駆動ローラ５５の軸を支えるホルダを支持する第２傾斜面が設けられる。第１傾斜面及び第２傾斜面は後方へ向かって下がるように傾斜される。退避姿勢にあるトレイガイドが前方へ引き出されてトレイ案内位置に移動すると、リンクプレートが前方へ向かって移動され、プラテン３８及びホルダが傾斜面を滑って下方へ移動される。トレイガイド９０がトレイ案内位置から退避位置へ戻され、リンクプレートが後方へ移動されると、プラテン３８及びホルダが傾斜面を滑って上方へ移動される。トレイガイド９０がユーザにより引き出されることにより、プラテン３８、第１従動ローラ５２及び第２駆動ローラ５５が下方へ移動し、直線部３５が上下方向７へ拡張され、直線部３５において媒体トレイ８０の搬送が可能となる。
【００３３】
［記録部４０］
図２に示されるように、記録部４０は、プラテン３８の上方に配置されたキャリッジ４１と、キャリッジ４１に搭載された記録ヘッド４２とを備える。キャリッジ４１は、フレームに支持された前後一対のガイドレール（不図示）に跨り、左右方向９に沿って移動可能にガイドレールに支持されている。キャリッジ４１は、駆動部の第３駆動モータ（不図示）により移動される。記録ヘッド４２は、電力が供給されることにより、不図示のインクカートリッジから供給されたインクをインク滴として、プラテン３８上を搬送されるシート１４または媒体トレイ８０に載置された記録メディア８４（図５）へ向かって吐出する。記録ヘッド４２は本発明の記録ヘッドに相当する。
【００３４】
［媒体トレイ８０］
図５に示されるように、媒体トレイ８０は、板状の樹脂成型品である。媒体トレイ８０の上面８１には、記録メディア８４が嵌め込まれる円形状の凹部８２が設けられている。凹部８２の底面の中央部からは、記録メディア８４の中央部に形成された孔８５に挿通される円形状の凸部８３が突出されている。記録メディア８４は、凹部８２に嵌め込まれ、媒体トレイ８０と共に搬送装置３０により直線部３５及び第２経路３３を搬送される。媒体トレイ８０は本発明の媒体トレイに相当する。
【００３５】
［第２ガイド部材７０］
図２に示されるように、第２ガイド部材７０は、下端部に設けられた回動軸７１を中心に回動可能に筐体２５（図１）に支持されている。回動軸７１は本発明の回動軸に相当する。第２ガイド部材７０は、回動されることにより、図２に実線で示された閉姿勢、及び図２に破線で示された開姿勢に姿勢変化する。図６（Ａ）に示されるように、第２ガイド部材７０は、閉姿勢において筐体２５の後部開口２７を閉塞する。図６（Ｂ）に示されるように、第２ガイド部材７０は、開姿勢において後部開口２７を開放する。なお、図６（Ｂ）では筐体２５内の構成部品の図示が省略されている。図３に示されるように、第２ガイド部材７０は、閉姿勢において第１ガイド部材６０と当接し、第１ガイド部材６０により位置決めされている。第２ガイド部材７０は本発明の第２ガイド部材に相当する。閉姿勢は本発明の第１姿勢に相当する。開姿勢は本発明の第２姿勢に相当する。
【００３６】
図６（Ａ）に示されるように、第２ガイド部材７０は、Ａ４サイズなどの大型のシート１４の幅よりも広い幅Ｗ１で開口された挿入口７２を備える。つまり、挿入口７２にシート１４を手差しで給送可能である。また、幅Ｗ１は後述される媒体トレイ８０の左右方向の幅Ｗ２（図５）よりも広い。つまり、挿入口７２を媒体トレイ８０が通過可能である。挿入口７２は本発明の開口に相当する。
【００３７】
図３に示されるように、挿入口７２の下側の下壁面７４により第２経路３３の下側ガイド面が形成されている。挿入口７２の上壁面７５により第２経路３３の上側ガイド面の一部が形成されている。また、第２ガイド部材７０の前面７３により、湾曲部３４の湾曲外側のガイド面が形成されている。第２ガイド部材７０がユーザに開かれることにより、湾曲部３４が露出される。ユーザは、シート１４や媒体トレイ８０が詰まった場合、閉姿勢にある第２ガイド部材７０を開姿勢に姿勢変化させて湾曲部３４を露出させる。
【００３８】
図３に示されるように、挿入口７２より上側の上部７６は下部７７よりも前後方向８の長さが短く、挿入口７２の下壁面７４の前端部の上方は開放されている。挿入口７２の下壁面７４の前端部の上方に第１ガイド部材６０の後端部が位置するように配置されている。
【００３９】
［第１ガイド部材６０］
図３に示されるように、第１ガイド部材６０は、下面６１の後端部が第２ガイド部材７０の挿入口７２の下壁面７４の前端部と上下方向７において対向するように、湾曲部３４と直線部３５との接続位置３７の上側に配置されている。第１ガイド部材６０は、下面６１により直線部３５及び第２経路３３の上側ガイド面の一部を形成している。第１ガイド部材６０の下面６１の後部からは、左右一対のガイド片６２が下方へ向かって突出されている。第１ガイド部材６０は本発明の第１ガイド部材に相当する。左右一対のガイド片６２は本発明のガイド片に相当する。一対のガイド片６２が離間された左右方向９は第３方向に相当する。
【００４０】
［ガイド片６２］
図４は、第１ガイド部材６０を下方から見た下面図である。図４に示されるように、一対のガイド片６２の離間距離Ｗ３は、媒体トレイ８０の左右方向９の幅Ｗ２よりも僅かに広い。したがって、媒体トレイ８０は、一対のガイド片６２の間を通過可能である。
【００４１】
図３に示されるように、第１ガイド部材６０の下面６１からのガイド片６２の突出寸法Ｈ１は、上下方向７における挿入口７２の高さ寸法Ｈ２よりも小さく、ガイド片６２の突出の先端６７と第２ガイド部材７０の挿入口７２の下壁面７４との間に間隙６６が形成されている。間隙６６の上下方向７の長さ寸法Ｈ３は、ガイド片６２の突出寸法Ｈ１は、シート１４の厚みよりも大きく、媒体トレイ８０の厚みＤ（図４）よりも小さく設定される。つまり、間隙６６は、シート１４が通過可能であって、媒体トレイ８０は通過できない。間隙６６は本発明の間隙に相当する。
【００４２】
図３に示されるように、ガイド片６２は、湾曲部３４を通過するシート１４の第１向き３６における先端を第１ガイド部材６０の下面６１へ案内する第１ガイド面６３を備える。第１ガイド面６３は本発明の第１ガイド面に相当する。第１ガイド面６３は、突出の先端（下端）から下面６１に接するように下面６１へ向かって湾曲して延びている。図７（Ａ）、（Ｂ）に示されるように、シート１４は、第１ガイド面６３に案内されることにより、下面６１への突入角度が低減される。つまり、第１ガイド面６３により、シート１４の第１向き３６における先端が挿入口７２を飛び越える際に当該先端が第１ガイド部材６０の下面に激突することが防止される。
【００４３】
湾曲部３４を通過したシート１４の第１向き３６における先端がガイド片６２の突出の先端６７に激突しないように、ガイド片６２の突出の先端６７は、第２ガイド部材７０の前面７３の上端７８よりも後方に位置している。また、先端６７は第１ガイド面６３と後述の第３ガイド面６５とを繋ぐ曲面に形成されている。したがって、湾曲部３４を通過したシート１４の第１向き３６における先端は、ガイド片６２の第１ガイド面６３に摺接し、シート１４がスムーズに搬送される。
【００４４】
また、上述されたように、図３の閉姿勢にある第２ガイド部材７０は第１ガイド部材６０により位置決めされているから、第１ガイド部材６０の第１ガイド面６３に対して、湾曲部３４の外側ガイド面を形成する第２ガイド部材７０の前面７３の位置を正確に位置決めすることができる。その結果、第２ガイド部材７０が開閉可能に設けられたことによる搬送精度の低下を抑えることができる。
【００４５】
また、図４に示されるように、各ガイド片６２は、左右方向９へ対向する左右一対の第２ガイド面６４の一方をそれぞれ備える。媒体トレイ８０は、第２経路３２（図３）を通過する際に、第２ガイド面６４に当接することにより斜行が防止される。第２ガイド面６４は本発明の第２ガイド面に相当する。
【００４６】
また、図９（Ａ）に示されるように、各ガイド片６２は、挿入口７２に挿入されるシート１４を間隙６６へ案内する第３ガイド面６５をそれぞれ備える。挿入口７２に挿入されたシート１４は、第３ガイド面６５により間隙６６へ案内され、間隙６６を通過して直線部３５へ進入する。第３ガイド面６５は本発明の第３ガイド面に相当する。
【００４７】
［動作］
図７に示されるように、給紙カセット１５に収容されたシート１４は、給送部２０により第１経路３２の湾曲部３４へ送り出され、湾曲部３４を通過し、ガイド片６２の第１ガイド面６３に案内されて直線部３５に至る。ガイド片６２により第１ガイド部材６０の下面６１に案内されたシート１４は、直線部３５において、前端が記録ヘッド４２の下方の所定位置に到達するまで搬送ローラ対５０により搬送される。その後、シート１４は、左右方向９に移動されながらインク滴を吐出する記録ヘッド４２により１行の印刷がされる。１行の印刷後、搬送ローラ対５０により所定の搬送距離だけ搬送される改行が行われる。シート１４は、１行の印刷と改行とが交互に行われることで画像が記録される。シート１４は、前端が排紙ローラ対５４に到達すると、搬送ローラ対５０及び排紙ローラ対５４により搬送される。画像が記録されたシート１４は、排紙ローラ対５４により排紙受け１８に排出される。
【００４８】
シート１４がプリンタ部１１の後方から挿入口７２に挿入される手差し給送において、シート１４は、間隙６６から直線部３５に進入する。図９（Ａ）に示されるように、シート１４が挿入口７２の上部から挿入されガイド片６２に当接する場合であっても、シート１４の前端はガイド片６２の第３ガイド面６５に摺接することにより間隙６６へ案内される。直線部３５へ進入したシート１４は、搬送ローラ対５０に挟まれ、前方へ向かって搬送される。その後、上述と同様にして記録ヘッド４２により画像が記録された後、排紙ローラ対５４により排紙受け１８に排出される。
【００４９】
記録メディア８４への画像記録の場合は、図８（Ａ）に示されるように、ユーザによりトレイガイド９０が前方へ引き出される。トレイガイド９０が前方へ引き出されると、図２に破線で示されるように第１従動ローラ５１、第２駆動ローラ５５及びプラテン３８が下方へ移動され、直線部３５が上下方向７へ拡張される。直線部３５は、拡張されることにより媒体トレイ８０が通過可能となる。媒体トレイ８０は、記録メディア８４が載置され、プリンタ部１１の前部開口１９から挿入される。挿入された媒体トレイ８０は、トレイガイド９０により排紙ローラ対５４のニップ位置へ案内され、排紙ローラ対５４により後方へ向かって搬送される。媒体トレイ８０は、図８（Ｂ）に示されるように、後端部が挿入口７２から後方へ向かって突出するまで搬送された後、搬送ローラ対５０及び排紙ローラ対５４により前方へ向かって搬送される。図９（Ｂ）に示されるように、媒体トレイ８０は、挿入口７２において左右一対のガイド片６２の間を通過する。一対のガイド片６２の第３ガイド面６５に当接することにより媒体トレイ８０の斜行が防止される。媒体トレイ８０の凹部８２に嵌め込まれた記録メディア８４は、媒体トレイ８０が前方へ向かって搬送される際に、記録ヘッド４２によりインク滴が吐出され、画像が記録される。記録メディア８４に画像が記録された後、媒体トレイ８０は、排紙ローラ対５４により前方へ搬送され、トレイガイド９０上に戻される。
【００５０】
シート１４や媒体トレイ８０が詰まった場合、ユーザにより第２ガイド部材７０が開かれ、湾曲部３４が露出される。ユーザは、露出された湾曲部３４から詰まったシート１４を取り除き、または、詰まった媒体トレイ８０を後方へ移動させて直線路３５から取り除く。
【００５１】
［本実施形態の効果］
給紙カセット１５から送り出されたシート１４は、ガイド片６２の第１ガイド面６３により第１ガイド部材６０の下面６１へ案内され、第１向き３６におけるシート１４の先端が第１ガイド部材６０の下面６１に激突することが防止される。また、一対のガイド片６２の離間距離は、媒体トレイ８０の左右方向９の幅よりも広いから、ガイド片６２により媒体トレイ８０の搬送は阻害されない。また、ガイド片６２は、第２ガイド部材７０の挿入口７２の下壁面７４との間にシート１４が通過可能な間隙６６を形成するように設けられているから、挿入口７２からのシート１４の手差し給送が可能となる。また、ガイド片６２は、開閉可能な第２ガイド部材７０ではなく、固定された第１ガイド部材６０に設けられているから、配置位置を正確に決めることができる。その結果、左右一対のガイド片６２は、湾曲部３４と直線部３５と第２経路３３との接続位置３７におけるシート１４及び媒体トレイ８０の通過を正常に行わせることができる。  
【００５２】
また、ガイド片６２に第２ガイド面６４が設けられたことにより、媒体トレイ８０の斜行を防止することができる。
【００５３】
また、ガイド片６２に第３ガイド面６５が設けられたことにより、手差し給送においてシート１４をスムーズに挿入口７２に挿入することができる。
【００５４】
また、上述されたように、ガイド片６２の突出の先端６７は、第１ガイド面６３と第３ガイド面６５とを繋ぐ曲面に形成され、且つ、湾曲部３４の外側ガイド面の第１向き３６における下流端を形成する第２ガイド部材７０の前面７３の上端よりも後方に形成されている。したがって、湾曲部３４を通過したシート１４の第１向き３６における先端が第１ガイド面６２に摺接し、シート１４が挿入口７２においてスムーズに搬送される。
【００５５】
また、閉姿勢にある第２ガイド部材７０は第１ガイド部材６０に当接して位置決めされ、ガイド片６２の第１ガイド面６３に対して、湾曲部３４の外側ガイド面を形成する第２ガイド部材７０の前面７３の位置決めを正確に行うことができる。その結果、第２ガイド部材７０が開閉可能なことによる搬送精度の低下を抑えることができる。
【００５６】
［変形例］
上述の実施形態では、第２ガイド部材７０が回動可能に設けられた例が説明されたが、第２ガイド部材７０は、着脱可能に設けられていてもよい。例えば、筐体２５に装着された第２ガイド部材７０を閉姿勢で保持するロック機構がプリンタ部１１に設けられる。ユーザは、ロック機構に設けられた操作レバー等を操作して筐体２５から第２ガイド部材７０を取り外す。
【００５７】
また、上述の実施形態では、第２ガイド部材７０の挿入口の上壁面７４及び第１ガイド部材６０の下面６１により第２経路３３の上側ガイド面が形成された例が説明されたが、第１ガイド部材６０の下面６１のみにより第２経路３３の上側ガイド面が形成されてもよい。この構成では、第２ガイド部材には、湾曲部３４の外側ガイド面を形成する前面と、第２経路３３の下側ガイド面を形成する上面とが設けられる。第２ガイド部材は、実施形態と同様に開閉可能、または、変形例と同様に着脱可能にプリンタ部１１の後部開口２７に取り付けられる。
【符号の説明】
【００５８】
９・・・左右方向（第３方向）
１０・・・インクジェット記録装置
１４・・・シート
３０・・・搬送装置
３２・・・第１経路
３３・・・第２経路
３４・・・湾曲部
３５・・・直線部
３６・・・第１向き
３７・・・接続位置
４２・・・記録ヘッド
６０・・・第１ガイド部材
６１・・・下面（上側ガイド面）
６２・・・ガイド片
６３・・・第１ガイド面
６４・・・第２ガイド面
６５・・・第３ガイド面
６６・・・間隙
７０・・・第２ガイド部材
７１・・・回動軸
７２・・・挿入口（開口）
７３・・・前面（外側ガイド面）
７４・・・下壁面（下側ガイド面）
７５・・・上壁面（上側ガイド面）
８０・・・媒体トレイ
８４・・・記録メディア（被記録媒体）
【図１】
0005609671.tif 000002
【図２】
0005609671.tif 000003
【図３】
0005609671.tif 000004
【図４】
0005609671.tif 000005
【図５】
0005609671.tif 000006
【図６】
0005609671.tif 000007
【図７】
0005609671.tif 000008
【図８】
0005609671.tif 000009
【図９】
0005609671.tif 000010